(57)【要約】      （修正有）【課題】撮影時の操作性を向上させることを可能にする移動型Ｘ線診断装置を提供する。【解決手段】移動型Ｘ線診断装置１は、装置本体９と、操作ハンドル８と、フットスイッチ１１或いは移動型フットスイッチとを備える。装置本体は、Ｘ線管によるＸ線の発生を制御する。操作ハンドルは、装置本体に設けられ、装置本体の走行時に操作される。フットスイッチ及び移動型フットスイッチは、操作ハンドルとは異なる側であり、かつ、装置本体のベース部に設けられ、装置本体の走行を制御するための操作を受け付ける。【選択図】図１
2015097728.tif 000002
【特許請求の範囲】
【請求項１】
Ｘ線管によるＸ線の発生を制御する本体部と、
前記本体部に設けられ、前記本体部の走行時に操作される走行操作部と、
前記走行操作部とは異なる側であり、かつ、前記本体部を走行させるための車輪側に設けられ、前記本体部の走行を制御するための操作を受け付ける受付部と、
を備えたことを特徴とする移動型Ｘ線診断装置。
【請求項２】
前記受付部は、前記走行操作部の対向する側の装置基部に設けられることを特徴とする請求項１に記載の移動型Ｘ線診断装置。
【請求項３】
前記受付部は、前記本体部から離れた位置に配置可能となるように構成されることを特徴とする請求項１又は２に記載の移動型Ｘ線診断装置。
【請求項４】
前記Ｘ線管を支持する支持機構の状態に基づいて、前記受付部が前記本体部の走行を制御するための操作を受け付けるか否かを制御する制御部をさらに備えたことを特徴とする請求項１〜３のいずれか１つに記載の移動型Ｘ線診断装置。
【請求項５】
前記受付部は、前記支持機構が前記本体部の走行時に設定される状態である場合に、バンパーとして機能するように設けられ、前記支持機構が前記本体部によるＸ線画像の撮影時に設定される状態である場合に、前記本体部の走行を制御するための操作を受け付けるように前記制御部によって制御されることを特徴とする請求項４に記載の移動型Ｘ線診断装置。
【請求項６】
前記受付部によって受け付けられる操作に対する前記本体部の走行の速度及び移動量のうち少なくとも一方が制御されることを特徴とする請求項１〜５のいずれか１つに記載の移動型Ｘ線診断装置。
【発明の詳細な説明】
【技術分野】
【０００１】
本発明の実施の形態は、移動型Ｘ線診断装置に関する。
【背景技術】
【０００２】
従来、病室などに移動させてＸ線画像を撮影する移動型Ｘ線診断装置が知られている。例えば、移動型Ｘ線診断装置は、Ｘ線を発生するＸ線管と、Ｘ線管が発生したＸ線の照射野を調節するＸ線可動絞りと、Ｘ線管及びＸ線可動絞りを支持する支持機構と、移動型Ｘ線診断装置の各種制御を実行する装置本体と、装置を移動するための車輪を備える。そして、移動型Ｘ線診断装置は、操作者によって病室まで移動され、病室内のベッド上にいて簡単に身動きできない患者（例えば、点滴中、寝たきり、両足負傷による歩行困難など）に対してＸ線画像の撮影を実行する。そして、移動型Ｘ線診断装置は、Ｘ線画像の撮影が終了すると、病室の外に移動させられる。しかしながら、上述した従来技術においては、撮影時の操作性が低下する場合があった。
【先行技術文献】
【特許文献】
【０００３】
【特許文献１】特開２００８−６１９４４号公報
【特許文献２】特開２００２−４５３５３号公報
【発明の概要】
【発明が解決しようとする課題】
【０００４】
本発明が解決しようとする課題は、撮影時の操作性を向上させることを可能にする移動型Ｘ線診断装置を提供することである。
【課題を解決するための手段】
【０００５】
実施の形態の移動型Ｘ線診断装置は、本体部と、走行操作部と、受付部とを備える。本体部は、Ｘ線管によるＸ線の発生を制御する。走行操作部は、前記本体部に設けられ、前記本体部の走行時に操作される。受付部は、前記走行操作部とは異なる側であり、かつ、前記本体部を走行させるための車輪側に設けられ、前記本体部の走行を制御するための操作を受け付ける。
【図面の簡単な説明】
【０００６】
【図１】図１は、第１の実施形態に係る移動型Ｘ線診断装置の全体構成の一例を示す図である。
【図２】図２は、第１の実施形態に係る移動型Ｘ線診断装置によるＸ線画像の撮影について説明するための図である。
【図３】図３は、従来技術に係る移動型Ｘ線診断装置を用いたＸ線画像の撮影の一例を示す図である。
【図４】図４は、第１の実施形態に係るフットスイッチの一例を示す図である。
【図５】図５は、第１の実施形態に係る操作スイッチの一例を示す図である。
【図６】図６は、第１の実施形態に係る移動型フットスイッチの一例を示す図である。
【図７】図７は、第１の実施形態に係る制御部によるフットスイッチの制御を説明するための図である。
【発明を実施するための形態】
【０００７】
以下、添付図面を参照して、移動型Ｘ線診断装置の実施形態を詳細に説明する。なお、以下では、本願に係る移動型Ｘ線診断装置として、Ｘ線管を支持する支持機構に支柱とアームとが用いられる移動型Ｘ線診断装置を例に挙げて説明する。
【０００８】
（第１の実施形態）
まず、図１を用いて、第１の実施形態に係る移動型Ｘ線診断装置の全体構成の一例を説明する。図１は、第１の実施形態に係る移動型Ｘ線診断装置１の全体構成の一例を示す図である。図１に示すように、移動型Ｘ線診断装置１は、支柱２と、アーム３と、Ｘ線管４と、Ｘ線可動絞り５と、前輪６と、後輪７と、操作ハンドル８と、装置本体９と、ベース部１０と、フットスイッチ１１とを備える。
【０００９】
支柱２は、図１に示すように、移動型Ｘ線診断装置１の前側（前輪６側）に配置され、アーム３の一端が連結されることで、アーム３を支持する。そして、支柱２は、矢印２１に示すように旋回することで、アーム３を任意の方向に向けることができる。アーム３は、一端が支柱２と連結され、他端にＸ線管４とＸ線可動絞り５とが配置される。ここで、アーム３は、支柱２に対して上下に自在にスライドするように連結される。例えば、支柱２にレールが設置され、アーム３は一端がレールと連結されてレール上を移動することにより、矢印２２に示すように、上下にスライドする。また、アーム３は、矢印２３に示すように、支柱２の長軸に直交する方向に伸縮する。例えば、アーム３は中空の相似形の四角柱が重なりあった構造を有し、外側の四角柱のアーム内部を大きさが小さい内側の四角柱のアームがスライドすることにより、矢印２３に示す方向に伸縮する。
【００１０】
Ｘ線管４は、装置本体９に含まれる高電圧発生部（不図示）と接続され、高電圧発生部から供給される高電圧を用いて、Ｘ線を発生する。Ｘ線可動絞り５は、例えば二対の可動制限羽根を有し、各対における可動制限羽根が開閉することでＸ線の照射野を調整する。すなわち、Ｘ線可動絞り５は、Ｘ線管４によって円錐状に発せられたＸ線が所定の照射野に照射されるように可動制限羽根が開閉される。ここで、Ｘ線可動絞り５は、例えば、図１に示すように、絞りハンドル５１と、操作部５２と、絞り調整つまみ５３とを備え、操作者によってこれらが操作されることで、Ｘ線の照射野の調整が行なわれる。
【００１１】
例えば、絞りハンドル５１は、操作者によって把持され、Ｘ線可動絞り５の下面に設けられたＸ線照射部分が患者の撮影部位に位置するように移動される。ここで、移動型Ｘ線診断装置１においては、矢印２１〜２３の動きに加えて、Ｘ線管４及びＸ線可動絞り５が、矢印２４に示すように、アーム３の長手方向を軸として旋回する。さらに、Ｘ線可動絞り５が、Ｘ線管４との接合部を軸として、矢印２５に示すように旋回する。すなわち、移動型Ｘ線診断装置１においては、各部位が矢印２１〜２５で示すように動くことによって、操作者によるＸ線照射部分の撮影部位への位置合わせを行なうことが可能である。そして、操作者は、Ｘ線照射部位を撮影部位に合わせた後、絞り調整つまみ５３を操作することでＸ線の照射野を調整したり、操作部５２を操作することでＸ線画像の撮影に係る各種設定を行なったりする。
【００１２】
前輪６は、旋回自在の車輪であり、例えば、一対のキャスターなどである。後輪７は、図示しないモータなどが連結された駆動輪であり、操作者による操作に応じて駆動する。一例を挙げると、後輪７は、操作ハンドル８付近に配置された駆動ボタンが押下されることによりモータが駆動し、モータによる動力によって駆動する。また、後輪７は、フットスイッチ１１によっても駆動が制御される。なお、フットスイッチ１１による駆動については後に詳述する。
【００１３】
操作ハンドル８は、操作者が移動型Ｘ線診断装置１を移動させる際に操作されるハンドルである。例えば、操作者は、操作ハンドル８を握った状態で操作レバーを握ることでブレーキが解除され、移動型Ｘ線診断装置１を前進させたり、後進させたりすることができる。或いは、操作ハンドル８が圧力センサを備え、操作者によって操作される方向（例えば、ハンドルを押している場合に前進、ハンドルを引いている場合に後進など）を検知して、モータを所望の方向に駆動させることも可能である。なお、移動型Ｘ線診断装置１は、上記した操作レバーが放されたり、或いは、圧力センサによる検知が無くなったりすると、ブレーキがかかるように制御される。
【００１４】
装置本体９は、移動型Ｘ線診断装置１の各部を制御する制御部、各種データを記憶する記憶部、外部から供給される電力を蓄電するバッテリ、種々の操作を受け付ける操作部、及び、種々の情報を表示する表示部などを有する。そして、装置本体９は、移動型Ｘ線診断装置１の移動に関する各種処理及びＸ線画像の撮影に関する各種処理の制御を実行する。例えば、装置本体９は、装置本体９の上面に配置された操作部、或いは、Ｘ線可動絞り５に備えられた操作部５２から転送された操作者の指示に従って高電圧発生部を制御し、Ｘ線管４に供給する電圧を調整することで、患者に対して照射されるＸ線量やＯＮ／ＯＦＦを制御する。また、例えば、装置本体９は、操作者の指示に従ってＸ線可動絞り５を制御し、Ｘ線可動絞り５が有する可動制限羽根の開度を調整することで、患者に対して照射されるＸ線の照射野を制御する。
【００１５】
また、装置本体９は、操作者の指示に従って、画像データ生成処理や、画像処理、あるいは解析処理などを制御する。また、装置本体９は、操作者の指示を受け付けるためのＧＵＩや記憶部が記憶する画像などを、表示部のディスプレイに表示するように制御する。ベース部１０は、装置本体９及びＸ線管４を支持する支持機構である支柱２やアーム３を搭載するためベースである。
【００１６】
以上、第１の実施形態に係る移動型Ｘ線診断装置１の全体構成について説明した。以下、移動型Ｘ線診断装置１を用いたＸ線画像の撮影の流れの一例を説明する。図２は、第１の実施形態に係る移動型Ｘ線診断装置１によるＸ線画像の撮影について説明するための図である。図２においては、図２の（Ａ）がＸ線管の待機時（移動時）の状態を示し、図２の（Ｂ）がＸ線画像の撮影時の状態を示す。例えば、移動型Ｘ線診断装置１は、待機時には病院の各フロアの廊下などに置かれ、バッテリの蓄電容量に応じて充電される。そして、使用時には、移動型Ｘ線診断装置１は、専用の鍵などによりロックが解除され、操作者が操作ハンドル８を操作するとともに、操作レバー（或いは、圧力センサなど）により後輪７を駆動させることで病室などに移動される。
【００１７】
ここで、上述したような待機時や、移動時（走行時）においては、移動型Ｘ線診断装置１は、図２の（Ａ）に示すように、アーム３が、リア方向（装置本体９の方向）に向けられて収縮し、Ｘ線管４が突き出ないように収納される。ここで、操作者の前方の視界を確保するために、アーム３ができる限り下に下げられた状態でＸ線管４が収納される。
【００１８】
そして、病室に移動すると、操作者は、図２の（Ｂ）に示すように、長手方向を軸に支柱２を旋回させてアーム３を収納位置から所望の方向（例えば、装置本体９の横方向や、フロント方向など）に向けることで、Ｘ線管４及びＸ線可動絞り５を撮影に適した方向に向ける。そして、操作者は、アーム３を伸ばしてＸ線管４及Ｘ線可動絞り５を引き出すことで、患者の撮影部位にＸ線が照射される位置にＸ線管４を配置する。ここで、操作者は、Ｘ線可動絞り５に備えられた絞り調整つまみ５３を用いて、撮影部位が照射野に入るように調節する。そして、ＦＰＤ（Flat  Panel  Detector）や、カセッテなどの画像記録媒体が患者の撮像部位とベッドとの間にセットされ、Ｘ線画像が撮影される。
【００１９】
このように、移動型Ｘ線診断装置１は、使用時に患者のいる病室に移動され、撮影部位に対してＸ線管４の位置及び照射野が調整されてＸ線画像が撮影されるが、かかる撮影に際して、操作者が装置のフロント側とリア側とを何度も行き来する場合が生じ、手間がかかるという問題が従来から挙げられていた。図３は、従来技術に係る移動型Ｘ線診断装置を用いたＸ線画像の撮影の一例を示す図である。ここで、図３においては、移動型Ｘ線診断装置が患者のいる部屋に移動された後の状態について示す。
【００２０】
例えば、操作者は、移動型Ｘ線診断装置によってＸ線画像を撮影する際に、図３に示すように、患者のベッドサイドに移動型Ｘ線診断装置を移動させる。ここで、操作者は、リア側にある操作ハンドルを操作することで移動型Ｘ線診断装置を移動させるが、図３に示すように、移動型Ｘ線診断装置の位置を、Ｘ線画像の撮影位置を考慮しながら、まず目測で位置決めする。そして、操作者は、フロント側に移動して絞りハンドルを把持して操作することでＸ線可動絞りにあるＸ線照射部分を撮影位置にあわせる。
【００２１】
ここで、Ｘ線照射部分が撮影位置にあう場合は、操作者は、その後の絞りの調整などの操作を行なう。しかしながら、目測での位置決めは必ずしも合っているとは限らず、実際に撮影したい位置（撮影位置）にＸ線照射部分を配置できない場合がある。例えば、アームを伸ばしても、撮影位置に届かない場合などがある。かかる場合には、操作者は、フロント側からリア側に回って、操作ハンドルを操作することで移動型Ｘ線診断装置を移動させることとなる。従って、従来の移動型Ｘ線診断装置においては、Ｘ線照射部分が撮影部分にあわせられるようになるまで、操作者がリア側とフロント側とを行き来することとなり、操作者に煩わしさを与えてしまう。そして、上記した移動型Ｘ線診断装置の再配置のために時間の無駄が発生していた。
【００２２】
そこで、このような問題に対して、フロント側とリア側との行き来を少なくするために、フロント側の操作ハンドルであるフロントハンドルが支柱に配置されて使用するような移動型Ｘ線診断装置が考えられる。これにより、例えば、移動時にリア側に移動することなく、移動型Ｘ線診断装置を移動させることができる。しかしながら、上述した従来技術では、フロントハンドルに圧力センサが設けられ、圧力センサの感知に応じて駆動輪が駆動するように制御されるために、フロントハンドルの向きが変わった場合（支柱が旋回した場合）に、操作感が直感的に分かりにくく、操作性が低下する。
【００２３】
また、従来技術においては、Ｘ線可動絞り部分に装置の走行を制御するスイッチを備えた移動型Ｘ線診断装置も知られている。しかしながら、かかる移動型Ｘ線診断装置は、Ｘ線可動絞り部分にスイッチが配置されているため、患者が寝ているベッドを挟んで移動型Ｘ線診断装置とは反対側に立って操作する場合には操作しやすいが、移動型Ｘ線診断装置と同じ側に立って操作する場合には操作しにくく、操作性が低下する。例えば、図３に示すように、操作者が、患者が寝ているベッドに対して装置と同じ側に立って操作する場合、Ｘ線可動絞り５の矢印２５の位置は、撮影部位に対して合わせるため、Ｘ線可動絞り５の操作部５２が操作者に正対する位置とはならず、スイッチに手が届かない、又は、スイッチが操作しにくいという状況となり、位置合わせに手間がかかり、操作性が低下する。移動型Ｘ線診断装置が用いられる環境は、狭い病室などであることから、撮影に十分なスペースがなく、図３のような環境となる場合が多く、多くの場合で位置合わせに手間がかかり、操作性が低下する可能性がある。
【００２４】
このように、従来技術においては、移動型Ｘ線診断装置によるＸ線画像の撮影に際して、操作性が低下する場合があった。そこで、本願にかかる移動型Ｘ線診断装置１は、フロント側での装置の移動を容易に行なわせることができるフットスイッチを設けることで、撮影時の操作性を向上させることを可能にする。以下、フットスイッチ１１の詳細について説明する。
【００２５】
第１の実施形態に係るフットスイッチ１１は、操作ハンドル８とは異なる側であり、かつ、装置本体９（移動型Ｘ線診断装置１）を走行させるための車輪側に設けられ、装置本体９の走行を制御するための操作を受け付ける。具体的には、フットスイッチ１１は、操作ハンドル８の対向する側のベース部１０に設けられる。図４は、第１の実施形態に係るフットスイッチ１１の一例を示す図である。ここで、図４においては、移動型Ｘ線診断装置１の上面図を示す。例えば、フットスイッチ１１は、図４に示すように、移動型Ｘ線診断装置１のフロント側のベース部１０に２つ設置される。
【００２６】
そして、２つのフットスイッチ１１は、一方が前進（フロント側への移動）に対応し、他方が後進（リア側への移動）に対応する。すなわち、前進に対応するフットスイッチ１１が操作者によって踏まれると、当該フットスイッチ１１は、移動型Ｘ線診断装置１が前進するように後輪７を制御させる。また、後進に対応するフットスイッチ１１が操作者によって踏まれると、当該フットスイッチ１１は、移動型Ｘ線診断装置１が後進するように後輪７を制御させる。なお、図４に示すフットスイッチ１１は、あくまでも一例であり、実施形態はこれに限定されるものではない。例えば、ベース部１０におけるフットスイッチ１１の位置や、スイッチの形状、機構などは任意に変更することが可能である。
【００２７】
ここで、各フットスイッチ１１は、移動型Ｘ線診断装置１の走行を制御するための操作（例えば、操作者によって踏まれるなどの操作）を受け付けた場合の当該移動型Ｘ線診断装置１の走行方向を示す情報を持たせることも可能である。すなわち、フットスイッチ１１それぞれが、移動型Ｘ線診断装置１を前進させるのか、或いは、後進させるのかを示す情報を付加させることも可能である。例えば、各フットスイッチ１１が、それぞれ異なる色で示されたり、各フットスイッチ１１に走行方向を示すマークや、文字などが付加されたりする。
【００２８】
これにより、操作者は、リア側にある操作ハンドル８を操作して、移動型Ｘ線診断装置１を目測で患者のベッドサイドに配置させた後、フロント側に移動して、絞りハンドル５１を把持してＸ線照射部分を撮影位置に合わせる際に位置が合わなかった場合であっても、その場でフットスイッチ１１を操作することで移動型Ｘ線診断装置１を所望の位置に移動させることができる。さらにこの操作は、絞りハンドル５１を把持したまま行なうことができ、装置の移動と位置合わせを同時に行なうことができ、位置合わせにかかる時間を短縮することが可能である。
【００２９】
第１の実施形態に係る移動型Ｘ線診断装置１は、上述したように、装置のフロント側にフットスイッチ１１が設けられ、撮影に係る操作性を向上させることができる。ここで、移動型Ｘ線診断装置１は、フットスイッチ１１に加えて、その他の操作スイッチを設けることも可能である。具体的には、移動型Ｘ線診断装置１は、フロント側に移動型Ｘ線診断装置１を移動させるための操作スイッチを設けることができる。
【００３０】
図５は、第１の実施形態に係る操作スイッチ１２の一例を示す図である。ここで、図５においては、（Ａ）が移動型Ｘ線診断装置１の上面図を示し、（Ｂ）が支柱２及びアーム３を側面から見た場合の図を示す。例えば、図５の（Ａ）に示すように、操作スイッチ１２は、支柱２や、アーム３に設けられる。図５の（Ａ）においては、前進に対応する操作スイッチ１２と後進に対応する操作スイッチ１２とが対になって４箇所に設けられている。すなわち、各対の操作スイッチ１２によって移動型Ｘ線診断装置１を前進させたり、後進させたりすることができる。操作者は、自身が立っている位置から近い操作スイッチ１２を操作することで移動型Ｘ線診断装置１を移動させることが可能である。
【００３１】
ここで、操作スイッチ１２は、操作者がフロント側に立って操作した場合に操作しやすい位置であればどこに設けられてもよい。例えば、図５の（Ｂ）に示すように、アーム３のアーム部分や、支柱２との連結部分にそれぞれ設けられる。そして、各操作スイッチ１２は、図５の（Ｂ）に示すように、異なる高さとなるように各部分に設置される。これにより、操作者は、フロント側で操作している際に、アーム３の高さ及び自身の位置にかかわらず、操作スイッチ１２を操作することができる。
【００３２】
上述したように、第１の実施形態に係る移動型Ｘ線診断装置１は、ベース部１０にフットスイッチ１１を備え、装置のフロント側に操作スイッチ１２を備えることが可能である。ここで、移動型Ｘ線診断装置１は、ベース部１０に設けられるフットスイッチ１１とは異なるフットスイッチを備えることも可能である。具体的には、移動型Ｘ線診断装置１は、装置本体９から離れた位置に配置可能となるようなフットスイッチを備えることが可能である。
【００３３】
図６は、第１の実施形態に係る移動型フットスイッチ１３の一例を示す図である。ここで、図６においては、移動型Ｘ線診断装置１の上面図を示す。例えば、移動型フットスイッチ１３は、図６に示すように、２つのスイッチ部１３ａと、ガード部１３ｂとを有し、ケーブルを介して装置本体９と接続される。各スイッチ部１３ａは、一方が前進に対応し、他方が後進に対応する。すなわち、スイッチ部１３ａは、操作者によって踏まれると、移動型Ｘ線診断装置１を前進、或いは後進させるための制御信号を、ケーブルを介して装置本体９に送る。装置本体９は、受信した制御信号に応じて、移動型Ｘ線診断装置１を移動させるように後輪７を制御する。
【００３４】
ガード部１３ｂは、操作者による誤操作（誤ってスイッチ部１３ａを踏んでしまう等）を防止するためのガードである。移動型フットスイッチ１３は、例えば、移動型Ｘ線診断装置１の収納場所に収納され、装置が患者のベッドサイドに配置された後に取り出され、操作者が所望する位置で用いられる。これにより、ベース部１０から離れた位置でも移動型Ｘ線診断装置１を移動させることができ、撮影時の操作性をより向上させることができる。なお、図６に示す移動型フットスイッチ１３は、あくまでも一例であり、実施形態はこれに限定されるものではない。例えば、移動型フットスイッチ１３の形状や、機構などは任意に変更することが可能である。また、装置本体９との接続は、ケーブルを介さず、無線により制御信号を送ることも可能である。
【００３５】
上述したように、第１の実施形態に係る移動型Ｘ線診断装置１は、ベース部１０に設けられるフットスイッチ１１や、フロント側に設けられる操作スイッチ１２、移動型フットスイッチ１３を適宜備えることが可能である。なお、設置されるスイッチの組み合わせは任意に選択することができ、例えば、フットスイッチ１１、操作スイッチ１２及び移動型フットスイッチ１３を全て備える場合であってもよく、或いは、フットスイッチ１１のみ、移動型フットスイッチ１３のみを備える場合であってもよい。
【００３６】
ここで、第１の実施形態に係る移動型Ｘ線診断装置１においては、ベース部１０にフットスイッチ１１が備えられる場合に、ベース部１０のフットスイッチ１１部分がバンパーとして用いることが可能である。すなわち、従来の移動型Ｘ線診断装置においては、ベース部の側面がバンパーとして機能しているものがある。そこで、本実施形態に係る移動型Ｘ線診断装置１においても、ベース部１０をバンパーとして機能させるようにフットスイッチ１１が設けられる。
【００３７】
かかる場合には、例えば、移動型Ｘ線診断装置１の制御部が、Ｘ線管４を支持する支持機構の状態に基づいて、フットスイッチ１１が装置本体９の走行を制御するための操作を受け付けるか否かを制御する。一例を挙げると、フットスイッチ１１は、支持機構が装置本体９の走行時に設定される状態である場合に、バンパーとして機能するように設けられ、支持機構が装置本体９によるＸ線画像の撮影時に設定される状態である場合に、装置本体９の走行を制御するための操作を受け付けるように制御部によって制御される。
【００３８】
図７は、第１の実施形態に係る制御部１４によるフットスイッチ１１の制御を説明するための図である。例えば、制御部１４は、図７の（Ａ）に示すように、待機時や移動時などでアーム３が装置本体９側に収納されている場合には、スイッチ群の機能をＯＦＦ状態にすることで、ベース部１０の前部をバンパーとして機能させる。すなわち、仮にベース部１０が壁などにぶつかってフットスイッチ１１が押された場合でも、スイッチの機能がＯＦＦとなっているために装置の移動に関わる制御が行なわれず、単にバンパーとして機能することとなる。
【００３９】
一方、例えば、図７の（Ｂ）に示すように、撮影時などで支柱２が旋回することでアーム３が装置本体９とは異なる方向を向いている場合には、制御部１４は、スイッチ群の機能をＯＮ状態にすることで、ベース部前部をフットスイッチ１１として機能させる。これにより、フットスイッチ１１は、撮影時にのみ利用可能となり、撮影時以外の誤作動を防止して、安全に利用させることが可能である。
【００４０】
ここで、上述した支柱２やアーム３などの支持機構の状態に基づくスイッチの機能のＯＮ状態と、ＯＦＦ状態との切り替えは、フットスイッチ１１に対してだけではなく、操作スイッチ１２及び移動型フットスイッチ１３に対しても適用される。すなわち、制御部１４は、支柱２やアーム３などの支持機構の状態によって、操作スイッチ１２及び移動型フットスイッチ１３の機能をＯＮ状態とＯＦＦ状態とを切り替えるように制御する。これにより、操作スイッチ１２及び移動型フットスイッチ１３についても撮影時にのみ利用可能となり、撮影時以外の誤作動を防止して、安全に利用させることが可能である。
【００４１】
さらに、移動型Ｘ線診断装置１においては、フットスイッチ１１、操作スイッチ１２、及び移動型フットスイッチ１３を操作した際の移動型Ｘ線診断装置１の速度や移動量が制御される。具体的には、フットスイッチ１１、操作スイッチ１２、及び移動型フットスイッチ１３によって受け付けられる操作に対する移動型Ｘ線診断装置１の走行の速度及び移動量のうち少なくとも一方が制御される。ここで、かかる制御は、制御部１４によって実行される。
【００４２】
例えば、制御部１４は、フットスイッチ１１に対する操作者の踏み込みの程度に基づいて、移動型Ｘ線診断装置１の移動速度や移動量を制御する。一例を挙げると、制御部１４は、フットスイッチ１１の踏み込み量に比例して、移動速度や移動量を上げるように制御する。或いは、制御部１４は、フットスイッチ１１の踏み込みの程度に関係なく移動速度を一定とし、踏み込み回数に応じて移動量を制御する（例えば、１回の踏み込みで２０ｃｍ移動など）。または、制御部１４は、フットスイッチ１１が踏まれている間、一定の速度で移動するように制御する。
【００４３】
なお、これらの移動速度や移動量は、操作者によって任意に設定することができる。また、制御方法についても、例えば、上記した３つの制御の中から操作者によって選択されるようにしてもよい。また、上記した３つの制御方法は、あくまでも一例であり、実施形態はこれに限定されるものではなく、その他種々の方法で制御される場合であってよい。また上述した例では、フットスイッチ１１によって受け付けられる操作に対して制御する場合を例に挙げて説明したが、上述した制御は、操作スイッチ１２及び移動型フットスイッチ１３によって受け付けられる操作に対して実行される場合であってもよい。
【００４４】
上述したように、第１の実施形態によれば、装置本体９は、Ｘ線管４によるＸ線の発生を制御する。操作ハンドル８は、装置本体９に設けられ、装置本体９の走行時に操作される。フットスイッチ１１及び移動型フットスイッチ１３は、操作ハンドルとは異なる側であり、かつ、装置本体９を走行させるための車輪側に設けられ、移動型Ｘ線診断装置１の走行を制御するための操作を受け付ける。従って、第１の実施形態に係る移動型Ｘ線診断装置１は、フットスイッチ１１或いは移動型フットスイッチ１３が装置のフロント側で足による操作を受け付けることで、操作者がリア側に移動することなく、装置を移動させることができ、撮影時の煩わしさを解消して、操作性を向上させることを可能にする。さらに、移動型Ｘ線診断装置１は、フロント側とリア側との行き来をなくすことで、Ｘ線画像の撮影にかかる時間を短縮することができ、患者に対する負荷を低減させるとともに、診断効率を向上させることを可能にする。
【００４５】
また、第１の実施形態によれば、フットスイッチ１１は、操作ハンドル８の対向する側のベース部１０に設けられる。従って、第１の実施形態に係る移動型Ｘ線診断装置１は、装置のフロント側での装置の移動を、足を使って容易に行なうことを可能にする。
【００４６】
また、第１の実施形態によれば、移動型フットスイッチ１３は、装置本体９から離れた位置に配置可能となるように構成される。従って、第１の実施形態に係る移動型Ｘ線診断装置１は、操作者が操作しやすい位置で移動型フットスイッチ１３を操作することができ、煩わしさをより解消して、操作性をさらに向上させることを可能にする。
【００４７】
また、第１の実施形態によれば、制御部１４は、Ｘ線管４を支持する支持機構の状態に基づいて、フットスイッチ１１、操作スイッチ１２及び移動型フットスイッチ１３が移動型Ｘ線診断装置１の走行を制御するための操作を受け付けるか否かを制御する。従って、第１の実施形態に係る移動型Ｘ線診断装置１は、状況に応じてスイッチ機能のＯＮ状態とＯＦＦ状態とを切り替えることができ、より安全に装置を操作することを可能にする。
【００４８】
また、第１の実施形態によれば、フットスイッチ１１は、支持機構が移動型Ｘ線診断装置１の走行時に設定される状態である場合に、バンパーとして機能するように設けられ、支持機構が移動型Ｘ線診断装置１によるＸ線画像の撮影時に設定される状態である場合に、移動型Ｘ線診断装置１の走行を制御するための操作を受け付けるように制御部１４によって制御される。従って、第１の実施形態に係る移動型Ｘ線診断装置１は、状況に応じてスイッチ機能とバンパー機能とを使い分けることを可能にする。
【００４９】
また、第１の実施形態によれば、フットスイッチ１１、操作スイッチ１２及び移動型フットスイッチ１３によって受け付けられる操作に対する移動型Ｘ線診断装置１の走行の速度及び移動量のうち少なくとも一方が制御される。従って、第１の実施形態に係る移動型Ｘ線診断装置１は、より安全で使いやすいスイッチを提供することを可能にする。
【００５０】
（第２の実施形態）
さて、これまで第１の実施形態について説明したが、上述した第１の実施形態以外にも、種々の異なる形態にて実施されてよいものである。
【００５１】
上述した第１の実施形態においては、支柱２やアーム３などの支持機構の状態によってフットスイッチ１１、操作スイッチ１２及び移動型フットスイッチ１３の機能のＯＮ状態とＯＦＦ状態とを切り替える場合について説明した。しかしながら、実施形態はこれに限定されるものではなく、例えば、装置本体９で制御される撮影にかかるモードの状態（例えば、装置が撮影モードになっているか否か）に基づいて、フットスイッチ１１、操作スイッチ１２及び移動型フットスイッチ１３の機能のＯＮ状態とＯＦＦ状態とを切り替える場合であってもよい。
【００５２】
また、上述した第１の実施形態においては、フットスイッチ１１がベース部１０の前面に設けられる場合について説明した。しかしながら、実施形態はこれに限定されるものではなく、例えば、フットスイッチ１１がフロント側のベース部１０の側面に設けられる場合であってもよい。
【００５３】
また、上述した第１の実施形態では、フットスイッチ１１と、移動型フットスイッチ１３とがそれぞれ独立している場合について説明した。しかしながら、実施形態はこれに限定されるものではなく、例えば、フットスイッチ１１がベース部１０から取り外されて、移動型フットスイッチ１３として機能する場合であってもよい。
【００５４】
また、上述した第１及び第２の実施形態では、支柱２を有する移動型Ｘ線診断装置を一例に挙げて説明したが、実施形態はこれに限定されるものではなく、例えば、図１などに示す縦支柱／横支柱の移動型Ｘ線診断装置１とは異なる移動型Ｘ線診断装置（例えば、折り畳み支柱を有する移動型Ｘ線診断装置や、縦支柱及び折り畳み支柱を有する移動型Ｘ線診断装置など）に本願のフットスイッチ１１や、操作スイッチ１２及び移動型フットスイッチ１３を適用する場合であってもよい。
【００５５】
また、上述した第１及び第２の実施形態において、説明した構成はあくまでも一例であり、本願にかかる移動型Ｘ線診断装置１は、種々の構成を有することができる。例えば、図１に示す装置本体９や、Ｘ線管４、Ｘ線可動絞り５などの形状は、任意の形状であってよい。また、装置本体９に備えられるものとして説明した構成は、任意に配置を変えることができる。例えば、装置本体９に備えられるものとした高電圧発生部は、Ｘ線管４を含むボックス内に配置する場合であってもよい。
【００５６】
以上説明したとおり、第１及び第２の実施形態によれば、本実施形態の移動型Ｘ線診断装置は、撮影時の操作性を向上させることを可能にする。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１  移動型Ｘ線診断装置
２  支柱
３  アーム
４  Ｘ線管
８  操作ハンドル
９  装置本体
１０  ベース部
１１  フットスイッチ
１２  操作スイッチ
１３  移動型フットスイッチ
【図１】
2015097728.tif 000003
【図２】
2015097728.tif 000004
【図３】
2015097728.tif 000005
【図４】
2015097728.tif 000006
【図５】
2015097728.tif 000007
【図６】
2015097728.tif 000008
【図７】
2015097728.tif 000009